(57)【要約】【課題】本発明は、一方の鍔に端子を設けたコイル部品において、その鍔が割れる可能性を低減させることを目的とする。【解決手段】そして、この目的を達成するために本発明は、貫通孔８を有する巻軸７と、この貫通孔８にその一部を挿入された磁心９，１０と、巻軸７の一端の外周に設けられた鍔１１と、巻軸７の他端の外周に設けられた鍔１２と、この鍔１２における鍔１１と反対側の面に設けられた端子１３と、この端子１３に電気的に接続されると共に巻軸７に巻回された巻線（図示せず）と、鍔１２の端子１３形成面における端子１３と貫通孔８との間に形成された補強リブ１４とを備え、補強リブ１４は非直線形状としたコイル部品としたものである。【選択図】図１
2007294912.tif 000002
【特許請求の範囲】
【請求項１】
貫通孔を有する巻軸と、
この貫通孔にその一部を挿入された磁心と、
前記巻軸の一端の外周に設けられた第１の鍔と、
前記巻軸の他端の外周に設けられた第２の鍔と、
この第２の鍔における前記第１の鍔と反対側の面に設けられた第１の端子と、
この第１の端子に電気的に接続されると共に前記巻軸に巻回された巻線と、
前記第２の鍔の端子形成面における前記第１の端子と前記貫通孔との間に形成された補強リブとを備え、
前記補強リブは非直線形状としたコイル部品。
【請求項２】
磁心には補強リブに沿った切欠き部を設けた請求項１に記載のコイル部品。
【請求項３】
第１の端子は略Ｌ字形状とし、
その中央部を前記第２の鍔内部に埋設し、
その一端を前記第２の鍔に平行な方向に突出させ、
その他端を前記第２の鍔に垂直な方向に突出させた請求項１に記載のコイル部品。
【請求項４】
巻線を第１の端子における一端に巻きつけた請求項３に記載のコイル部品。
【請求項５】
第２の鍔の端子形成面には第２の端子を設け、
第１の端子及び前記第２の端子は略Ｉ字形状とするとともに
前記第２の鍔に垂直方向に突出させ、
前記第２の端子に巻線を巻きつけた
請求項１に記載のコイル部品。
【請求項６】
第２の鍔の端子形成面における第２の端子形成部の厚みは
第１の端子形成部の厚みよりも薄くした
請求項５に記載のコイル部品。
【請求項７】
貫通孔を有する巻軸と、
この貫通孔にその一部を挿入された磁心と、
前記巻軸の一端の外周に設けられた第１の鍔と、
前記巻軸の他端の外周に設けられた第２の鍔と、
この第２の鍔における前記第１の鍔と反対側の面に設けられた第１の端子と、
この第１の端子に電気的に接続すると共に前記巻軸に巻回された巻線と、
前記第２の鍔の端子形成面における前記第１の端子と前記貫通孔との間に形成された補強リブとを備え、
この補強リブはその中心部を前記第２の鍔における内方に配置すると共に外方に向けて広がる略くの字形状とし、
この略くの字内部に前記第１の端子を配置したコイル部品。
【請求項８】
磁心には補強リブに沿った切欠き部を設けた請求項７に記載のコイル部品。
【請求項９】
第１の端子は略Ｌ字形状とし、
その中央部を前記第２の鍔内部に埋設し、
その一端を前記第２の鍔に平行な方向に突出させ、
その他端を前記第２の鍔に垂直な方向に突出させた請求項７に記載のコイル部品。
【請求項１０】
巻線を第１の端子における一端に巻きつけた請求項９に記載のコイル部品。
【請求項１１】
第２の鍔の端子形成面における略くの字内部には第２の端子を設け、
第１の端子及び前記第２の端子は略Ｉ字形状とするとともに
前記第２の鍔に垂直方向に突出させ、
前記第２の端子に巻線を巻きつけた
請求項７に記載のコイル部品。
【請求項１２】
第２の鍔の端子形成面における第２の端子形成部の厚みは
第１の端子形成部の厚みよりも薄くした
請求項１１に記載のコイル部品。
【発明の詳細な説明】
【技術分野】
【０００１】
本発明は、各種電子機器におけるスイッチング電源に用いられるコイル部品に関するものである。
【背景技術】
【０００２】
従来この種のコイル部品は、図４に示すごとく、巻軸１外周の両端には鍔２，３を設けており、鍔３における鍔２と反対側の面には、端子４が設けられている。そして、鍔３における端子４と、巻軸１に設けたコア５中脚を挿入させるための貫通孔（図示せず）との間には直線形状の補強リブ６を設けて構成されていた。
【０００３】
なお、この出願に関する先行技術文献情報としては、例えば、特許文献１が知られている。
【特許文献１】特開２００４−３１１７５８号公報
【発明の開示】
【発明が解決しようとする課題】
【０００４】
上記従来例に示すようなコイル部品は、その鍔の割れが問題となっていた。
【０００５】
すなわち、上記従来のような補強リブ６を直線形状にする構成においては、セットに実装した状態などにおいて振動等が実装基板から端子４に加わると、その振動がこの端子４を介して鍔３における直線形状の補強リブ６形成部に伝わり、その結果として、この鍔３における補強リブ６形成部において割れが生じる可能性があった。
【０００６】
そこで本発明は、一方の鍔に端子を設けたコイル部品において、その鍔が割れる可能性を低減させることを目的とする。
【課題を解決するための手段】
【０００７】
そして、この目的を達成するために本発明は、第２の鍔の端子形成面における第１の端子と貫通孔との間に形成した補強リブを備え、この形成部は非直線形状としたものである。
【発明の効果】
【０００８】
本発明のコイル部品は、補強リブを非直線形状とすることにより、補強リブに加わる力を直線状ではなく、面状に分散させることができるため、端子を設けた鍔が割れてしまう可能性を低減することができる。
【発明を実施するための最良の形態】
【０００９】
（実施の形態１）
以下、本発明の実施の形態１におけるコイル部品について図面を参照しながら説明する。
【００１０】
図１に示すごとく、巻軸７には貫通孔８を設けており、この貫通孔８には磁心９，１０の中脚９Ａ，１０Ａを挿入している。そして、巻軸７の一端の外周には鍔１１を設けると共に、その他端の外周には鍔１２を設けている。そして、鍔１２における鍔１１と反対側の面には端子１３を設け、この端子１３に電気的に接続すると共に巻軸７に巻回した巻線（図示せず）を設けている。
【００１１】
ここで、鍔１２における端子１３形成面には、図２に示すごとく端子１３と貫通孔８との間に補強リブ１４を形成しており、この補強リブ１４は非直線形状、具体的にはその中心部を鍔１２における内方に配置すると共に外方に向けて広がる略くの字形状とし、この略くの字内部１４Ａに端子１３を配置する構成としている。
【００１２】
このような構成により、セットに実装した状態などにおいて振動等が実装基板から端子１３に加わったとしても、その振動を図２に示したくの字内部１４Ａにおいて、面状に分散することができ、その結果として、鍔１２が割れる可能性を低減させることができる。
【００１３】
なお、磁心１０には、図１に示すごとく補強リブ１４形成部に沿った切欠き部１６を設けることにより、限られた底面積における磁心１０の有効断面積を確保することができ望ましい。
【００１４】
なお、端子１３形成面は図１に示すごとく補強リブと同一平面にするか、あるいは同一平面よりも実装する基板に近い平面にすることが望ましい。基板実装時において、端子１３形成面と実装基板との間に隙間、即ち可動部が生まれず、振動に対して有利である。
【００１５】
なお、端子１３を構成するピンは円柱状のものでも構わないが、その形状を角柱状とし、この角柱状のピンを鍔１２に設けた円形状の孔１５に挿入して端子１３を構成することにより、かしめ等を設けることなく、端子１３の抜けを防止することができ望ましい。
【００１６】
なお、端子１３は、鍔１２に垂直な方向のみに突出させる構成としても構わないが、その形状を図１に示すごとく略Ｌ字形状とし、その中央部を鍔１２の内部に埋設し、その一端１３Ａを鍔１２に平行な方向に突出させ、他端１３Ｂを鍔１２に垂直な方向に突出させることにより、下からの引っ張り強度を向上させることができる。即ち、下から引っ張られるような力が加わった場合には、端子１３の一端１３Ａが鍔１２の一部に当接することになり、引っ張り強度を向上させることができる。
【００１７】
さらに、鍔１２に平行な方向に突出させた端子１３の一端１３Ａに巻線（図示せず）を巻きつけることにより、鍔１２に垂直な方向に突出させた端子１３の他端１３Ｂに巻線（図示せず）を巻きつける必要がなくなるため、巻きつけ部の有無に起因するインダクタンス部品の傾きを無くすることができ、その結果として実装する基板に対して略平行にこのインダクタンス部品を実装することができる。さらに、この巻きつけ部が鍔１２における端子１３形成面と実装基板との間に存在しない分だけ、低背実装を可能とすることができる。
【００１８】
（実施の形態２）
以下、本発明の実施の形態２におけるコイル部品について図面を参照しながら説明する。
【００１９】
なお、実施の形態１の構成と同様の構成を有するものについては、同一符号を付してその説明を省略する。
【００２０】
図３において、実施の形態１と相違する点は、鍔１２の端子１３形成面には端子１８を設け、端子１３、１８は略Ｉ字形状とするとともに鍔１２に垂直方向に突出させ、巻線（図示せず）を端子１８に巻きつけたという点である。
【００２１】
この構成により、鍔１２と平行方向に巻線（図示せず）巻きつけ用の端子を突出させる必要が無く、当該コイル部品の底面積の小型化を図ることができる。
【００２２】
また、製造、実装時において作業者がこの鍔１２と平行方向に突出させられた端子に触れて怪我することが無く、生産性を向上させることができる。
【００２３】
さらに、鍔１２の端子１３形成面において、端子１８を形成する端子形成部１７Ｂの厚みを、端子１３を形成する端子形成部１７Ａの厚みよりも薄くしておくことにより、当該コイル部品の低背実装と、基板に対する平行実装とを実現することができる。
【００２４】
即ち、端子形成部１７Ｂの厚みを端子形成部１７Ａよりも薄くしておくことにより、端子１８における端子形成部１７Ｂからの露出長を増加させることができ、この露出部分に巻線（図示せず）を巻きつけることにより、余分に端子１７Ｂの長さを長くする必要が無く当該コイル部品の低背実装を実現することができる。さらに、端子１８のみに巻線（図示せず）巻きつけ部を設けることに起因するインダクタンス部品の傾きを無くすることができ、その結果として実装する基板に対して略平行にこのインダクタンス部品を実装することができるのである。
【産業上の利用可能性】
【００２５】
本発明のコイル部品は、端子を設けた鍔が割れてしまう可能性を低減することができるという効果を有し、各種電子機器におけるスイッチング電源において有用である。
【図面の簡単な説明】
【００２６】
【図１】本発明の実施の形態１におけるコイル部品の下方分解斜視図
【図２】本発明の実施の形態１における巻線非巻回状態のコイル部品の下面図
【図３】本発明の実施の形態２におけるコイル部品の下方分解斜視図
【図４】従来のコイル部品の斜視図
【符号の説明】
【００２７】
７  巻軸
８  貫通孔
９  磁心
１０  磁心
１１  鍔
１２  鍔
１３  端子
１４  補強リブ
【図１】
2007294912.tif 000003
【図２】
2007294912.tif 000004
【図３】
2007294912.tif 000005
【図４】
2007294912.tif 000006